(57)【要約】【課題】一方のネットワークの障害を他方のネットワークに接続された装置へ通知するための通知信号が用いることができない状況においても、確実に他方のネットワークへ障害を通知可能にする。【解決手段】端末装置１０１と対向装置１０４との間に接続されたネットワーク接続制御装置１０２において、ネットワーク接続制御装置１０２は、端末装置１０１との通信路のリンクを監視するイーサリンク監視制御部１１２と、ＡＴＭ網１０３における通信路のリンクを監視するとともに、対向装置１０４から受信したリンク確認信号に対してリンク確認応答信号を送出するためのＡＴＭリンク監視制御部１１５とを備え、ＡＴＭリンク監視制御部１１５は、イーサリンク監視制御部１１２が端末装置１０１通信路のリンク断を検知すると、対向装置１０４に対するリンク確認応答信号を非通知にする。【選択図】  図１
2004357115.tif 000002
【特許請求の範囲】
【請求項１】
一端に第１のネットワークを介して第１の端末装置に、他端に第２のネットワークを介して第２の端末装置に接続されたネットワーク接続制御装置であって、
前記第１のネットワークにおける通信路のリンクを監視する第１のリンク監視制御部と、
前記第２のネットワークにおける通信路のリンクを監視するとともに、前記第２の端末装置から受信したリンク確認信号に対してリンク確認応答信号を送出するための第２のリンク監視制御部とを備え、
前記第２のリンク監視制御部は、前記第１のリンク監視制御部が前記第１のネットワークにおける通信路のリンク断を検知すると、前記第２の端末装置に対する前記リンク確認応答信号を非通知にするものであるネットワーク接続制御装置。
【請求項２】
一端に第１のネットワークを介して第１の端末装置に、他端に第２のネットワークを介して第２の端末装置に接続され、第１の端末装置と第２の端末装置との間に設けられたバックアップ装置と第１のネットワークを介して冗長プロトコルを用いて通信可能なネットワーク接続制御装置であって、
前記第２の端末装置へリンク確認信号を送出し、前記第２の端末装置からのリンク確認応答信号の有無を検出することで前記第２のネットワークにおける通信路のリンクを監視するリンク監視制御部と、
前記バックアップ装置と前記第１のネットワークを介して通信するための冗長プロトコル制御部とを備え、
前記冗長プロトコル制御部は、前記第２のリンク監視制御部が前記第２のネットワークにおける通信路のリンク断を検知すると、前記バックアップ装置に対して前記第１の端末装置と前記第２の端末装置との間の通信路を、前記バックアップ装置を介した通信路へ切替えることを指示するものであるネットワーク接続制御装置。
【請求項３】
請求項２記載のネットワーク接続制御装置であって、前記冗長プロトコル制御部は、前記リンク監視制御部が前記第２のネットワークにおける通信路のリンク障害を示す警告信号を受信したときに、前記バックアップ装置に対して前記第１の端末装置と前記第２の端末装置との間の通信路を、前記バックアップ装置を介した通信路へ切替えることを指示するものであるネットワーク接続制御装置。
【請求項４】
請求項２または３記載のネットワーク接続制御装置であって、前記冗長プロトコルはＶＲＲＰであるネットワーク接続制御装置。
【請求項５】
請求項１ないし４のいずれか一項記載のネットワーク接続制御装置であって、前記リンク確認信号およびリンク確認応答信号は、ループバックＯＡＭセルを用いるネットワーク接続制御装置。
【請求項６】
請求項１ないし５のいずれか一項記載のネットワーク接続制御装置であって、前記リンク確認信号及びリンク確認応答信号は、ＩＣＭＰのエコー機能を用いるネットワーク接続制御装置。
【請求項７】
請求項１ないし６のいずれか一項記載のネットワーク接続制御装置であって、前記第１のネットワークとの接続するための端末インタフェースを更に備え、前記端末インタフェースはイーサインタフェースであるネットワーク接続制御装置。
【請求項８】
請求項１ないし６のいずれか一項記載のネットワーク接続制御装置であって、前記第１のネットワークとの接続するための端末インタフェースを更に備え、前記端末インタフェースはシリアルインタフェースであるネットワーク接続制御装置。
【請求項９】
第１の端末装置と、
第１の端末装置に接続された第１のネットワークと、
第１のネットワークに接続されたネットワーク接続制御装置と、
前記ネットワーク接続制御装置に接続された第２のネットワークと、
前記第２のネットワークを介して前記ネットワーク接続制御装置に接続された第２の端末装置とを備え、
前記第２の端末装置は前記ネットワーク接続制御装置に通信路のリンク確認信号を送出する手段を有し、
前記ネットワーク接続制御装置は、
前記第１のネットワークにおける通信路のリンクを監視する第１のリンク監視制御部と、
前記第２のネットワークにおける通信路のリンクを監視するとともに、前記第２の端末装置から受信したリンク確認信号に対してリンク確認応答信号を送出するための第２のリンク監視制御部とを備え、
前記第２のリンク監視制御部は、前記第１のリンク監視制御部が前記第１のネットワークにおける通信路のリンク断を検知すると、前記第２の端末装置に対する前記リンク確認応答信号を非通知にするものであるネットワーク接続通信システム。
【請求項１０】
第１の端末装置と、
第１の端末装置に接続された第１のネットワークと、
第１のネットワークに接続されたネットワーク接続制御装置と、
前記ネットワーク接続制御装置に接続された第２のネットワークと、
前記第２のネットワークを介して前記ネットワーク接続制御装置に接続された第２の端末装置と、
前記第１の端末と前記第２の端末の間に設けられ、前記第１のネットワークを介して前記ネットワーク接続制御装置と冗長プロトコルを用いて通信可能なバックアップ装置とを備え、
前記ネットワーク接続制御装置は、
前記第２の端末装置へリンク確認信号を送出し、前記第２の端末装置からのリンク確認応答信号の有無を検出することで前記第２のネットワークにおける通信路のリンクを監視するリンク監視制御部と、
前記バックアップ装置と前記第１のネットワークを介して通信するための冗長プロトコル制御部とを備え、
前記冗長プロトコル制御部は、前記第２のリンク監視制御部が前記第２のネットワークにおける通信路のリンク断を検知すると、前記バックアップ装置に対して前記第１の端末装置と前記第２の端末装置との間の通信路を、前記バックアップ装置を介した通信路へ切替えることを指示し、
前記バックアップ装置は、前記第１の端末装置と前記第２の端末装置との間の通信路を確立するものであるネットワーク接続通信システム。
【請求項１１】
一端に第１のネットワークを介して第１の端末装置に、他端に第２のネットワークを介して第２の端末装置に接続されたネットワーク接続制御装置におけるネットワーク接続制御方法であって、
前記第２の端末から前記ネットワーク接続制御装置に対してリンク確認信号を送出するステップと、
前記第１のネットワークにおける通信路のリンク断が検出された場合に、前記ネットワーク接続制御装置が前記リンク確認応答信号を非通知にするステップと
を有するネットワーク接続制御方法。
【請求項１２】
一端に第１のネットワークを介して第１の端末装置に、他端に第２のネットワークを介して第２の端末装置に接続され、前記第１のネットワークを介して迂回通信路を確保するためのバックアップ装置と冗長プロトコルを用いて通信可能なネットワーク接続制御装置におけるネットワーク接続制御方法であって、
前記第２の端末装置へリンク確認信号を送出するステップと、
前記リンク確認信号に対する前記第２の端末装置からのリンク確認応答信号の有無を検出することで、前記第２の端末装置と前記ネットワーク接続制御装置との間のリンクを監視するステップと、
前記第１の端末装置と前記ネットワーク接続制御装置との間のリンクに障害が検知された場合に、前記ネットワーク接続制御装置が前記バックアップ装置に対して冗長プロトコルを用いて、前記バックアップ装置を介した通信回路の迂回を指示するステップと
を備えるネットワーク接続制御方法。
【請求項１３】
請求項１２記載のネットワーク接続制御方法であって、前記第１の端末装置からのリンク障害信号を受けた場合に、前記ネットワーク接続制御装置が前記バックアップ装置に対して冗長プロトコルを用いて通信回路の迂回を指示するステップを更に備えるネットワーク接続制御方法。
【請求項１４】
請求項１１ないし１３記載のネットワーク接続制御方法であって、前記リンク確認信号およびリンク確認応答信号は、ループバックＯＡＭセルを用いるネットワーク接続制御方法。
【請求項１５】
請求項１１または１３記載の記載のネットワーク接続制御方法であって、前記リンク確認信号及びリンク確認応答信号は、ＩＣＭＰのエコー機能を用いるネットワーク接続制御方法。
【発明の詳細な説明】
【０００１】
【発明の属する技術分野】
本発明は、一方に第１のネットワーク、他方に第２のネットワークが接続されたネットワーク接続制御装置、ネットワーク接続通信システムおよびネットワーク接続制御方法に関する。
【０００２】
【従来の技術】
一方にＬＡＮ等の第１のネットワーク、他方にＷＡＮ等の第２のネットワークが接続されたネットワーク接続制御装置において、第１のネットワーク側および第２のネットワーク側それぞれの故障情報を相互に転送することで、データ転送経路のバックアップ機能を実現するネットワーク接続制御装置があった（例えば特許文献１）。特許文献１には、このようなネットワーク接続制御装置として、第２のネットワークとしてＡＴＭ網が接続され、ＡＩＳ（Ａｌａｒｍ  Ｉｎｄｉｃａｔｉｏｎ  Ｓｉｇｎａｌ）やＲＤＩ（Ｒｅｍｏｔｅ  Ｄｅｆｅｃｔ  Ｉｎｄｉｃａｔｉｏｎ）などの故障情報を示す信号を送出することにより、ＡＴＭ網側に故障情報を伝えるＡＴＭ通信装置が記載されている。
【０００３】
また、ルータに障害が起きた場合のために、複数のルータを備えて二重化を行うネットワーク接続システムがあり、そこに用いられる冗長プロトコルの一例として、ＶＲＲＰ（Ｖｉｒｔｕａｌ  Ｒｏｕｔｅｒ  Ｒｅｄｕｎｄａｎｃｙ  Ｐｒｏｔｏｃｏｌ）がある。ＶＲＲＰは、複数のルータを一つの仮想ルータとして同じアドレスにて端末装置と接続可能とするものであり、複数のルータのうち、一つのルータがマスタとして接続され、このマスタルータに障害が起きた場合に、他のルータへ接続が切替えられる。
【０００４】
【特許文献１】
特開２００２−０６４５０２号公報
【０００５】
【発明が解決しようとする課題】
しかしながら、上記のネットワーク接続制御装置にあっては、ＡＩＳやＲＤＩなどの故障情報を示す信号に対応していない対向装置が接続された場合や、ネットワークによっては、故障情報を示す信号が通らない場合があった場合、対向装置が障害を認識することが不可能となるという事情があった。
【０００６】
また、ＶＲＲＰを用いたネットワーク接続システムにおいては、互いのルータが通信を行っているネットワーク（例えば第１のネットワーク）と反対のネットワーク側（例えば第２のネットワーク）の通信路で障害が起きた場合に、迅速にバックアップに切替えることが困難であるという事情があった。
【０００７】
本発明は、上記従来の事情に鑑みてなされたものであって、一方のネットワークの障害を他方のネットワークに接続された装置へ通知するための通知信号が用いることができない状況においても、確実に他方のネットワークへ障害を通知可能とするネットワーク接続制御装置、ネットワーク接続通信システムおよびネットワーク接続制御方法を提供することを目的とする。
【０００８】
また、障害時に通信路の迂回または二重化をスムーズに行うネットワーク接続制御装置、ネットワーク接続通信システムおよびネットワーク接続制御方法を提供することを目的とする。
【０００９】
【課題を解決するための手段】
本発明のネットワーク接続制御装置は、一端に第１のネットワークを介して第１の端末装置に、他端に第２のネットワークを介して第２の端末装置に接続されたネットワーク接続制御装置であって、前記第１のネットワークにおける通信路のリンクを監視する第１のリンク監視制御部と、前記第２のネットワークにおける通信路のリンクを監視するとともに、前記第２の端末装置から受信したリンク確認信号に対してリンク確認応答信号を送出するための第２のリンク監視制御部とを備え、前記第２のリンク監視制御部は、前記第１のリンク監視制御部が前記第１のネットワークにおける通信路のリンク断を検知すると、前記第２の端末装置に対する前記リンク確認応答信号を非通知にするものであるネットワーク接続制御装置である。
【００１０】
この構成により、一方のネットワークの障害を他方のネットワークに接続された装置へ通知するための通知信号が用いることができない状況においても、確実に他方のネットワークへ障害を通知可能にすることができる。
【００１１】
また、本発明のネットワーク接続制御装置は、一端に第１のネットワークを介して第１の端末装置に、他端に第２のネットワークを介して第２の端末装置に接続され、第１の端末装置と第２の端末装置との間に設けられたバックアップ装置と第１のネットワークを介して冗長プロトコルを用いて通信可能なネットワーク接続制御装置であって、前記第２の端末装置へリンク確認信号を送出し、前記第２の端末装置からのリンク確認応答信号の有無を検出することで前記第２のネットワークにおける通信路のリンクを監視するリンク監視制御部と、前記バックアップ装置と前記第１のネットワークを介して通信するための冗長プロトコル制御部とを備え、前記冗長プロトコル制御部は、前記第２のリンク監視制御部が前記第２のネットワークにおける通信路のリンク断を検知すると、前記バックアップ装置に対して前記第１の端末装置と前記第２の端末装置との間の通信路を、前記バックアップ装置を介した通信路へ切替えることを指示するものであるネットワーク接続制御装置である。
【００１２】
この構成により、通信路の障害時に通信路の迂回または二重化をスムーズに行うことができる。
【００１３】
また、本発明のネットワーク接続制御装置において、前記冗長プロトコル制御部は、前記リンク監視制御部が前記第２のネットワークにおける通信路のリンク障害を示す警告信号を受信したときに、前記バックアップ装置に対して前記第１の端末装置と前記第２の端末装置との間の通信路を、前記バックアップ装置を介した通信路へ切替えるものである。
【００１４】
また、本発明のネットワーク接続制御装置において、前記冗長プロトコルはＶＲＲＰである。
【００１５】
また、本発明のネットワーク接続制御装置において、前記リンク確認信号およびリンク確認応答信号は、ループバックＯＡＭセルを用いる。
【００１６】
また、本発明のネットワーク接続制御装置において、前記リンク確認信号及びリンク確認応答信号は、ＩＣＭＰのエコー機能を用いる。
【００１７】
また、本発明のネットワーク接続制御装置において、前記第１のネットワークとの接続するための端末インタフェースを更に備え、前記端末インタフェースはイーサインタフェースである。
【００１８】
また、本発明のネットワーク接続制御装置において、前記第１のネットワークとの接続するための端末インタフェースを更に備え、前記端末インタフェースはシリアルインタフェースである。
【００１９】
本発明のネットワーク接続通信システムは、第１の端末装置と、第１の端末装置に接続された第１のネットワークと、第１のネットワークに接続されたネットワーク接続制御装置と、前記ネットワーク接続制御装置に接続された第２のネットワークと、前記第２のネットワークを介して前記ネットワーク接続制御装置に接続された第２の端末装置とを備え、前記第２の端末装置は前記ネットワーク接続制御装置に通信路のリンク確認信号を送出する手段を有し、前記ネットワーク接続制御装置は、前記第１のネットワークにおける通信路のリンクを監視する第１のリンク監視制御部と、前記第２のネットワークにおける通信路のリンクを監視するとともに、前記第２の端末装置から受信したリンク確認信号に対してリンク確認応答信号を送出するための第２のリンク監視制御部とを備え、前記第２のリンク監視制御部は、前記第１のリンク監視制御部が前記第１のネットワークにおける通信路のリンク断を検知すると、前記第２の端末装置に対する前記リンク確認応答信号を非通知にするものであるネットワーク接続通信システムである。
【００２０】
この構成により、一方のネットワークの障害を他方のネットワークに接続された装置へ通知するための通知信号が用いることができない状況においても、確実に他方のネットワークへ障害を通知可能にすることができる。
【００２１】
また、本発明のネットワーク接続通信システムは、第１の端末装置と、第１の端末装置に接続された第１のネットワークと、第１のネットワークに接続されたネットワーク接続制御装置と、前記ネットワーク接続制御装置に接続された第２のネットワークと、前記第２のネットワークを介して前記ネットワーク接続制御装置に接続された第２の端末装置と、前記第１の端末と前記第２の端末の間に設けられ、前記第１のネットワークを介して前記ネットワーク接続制御装置と冗長プロトコルを用いて通信可能なバックアップ装置とを備え、前記ネットワーク接続制御装置は、前記第２の端末装置へリンク確認信号を送出し、前記第２の端末装置からのリンク確認応答信号の有無を検出することで前記第２のネットワークにおける通信路のリンクを監視するリンク監視制御部と、前記バックアップ装置と前記第１のネットワークを介して通信するための冗長プロトコル制御部とを備え、前記冗長プロトコル制御部は、前記第２のリンク監視制御部が前記第２のネットワークにおける通信路のリンク断を検知すると、前記バックアップ装置に対して前記第１の端末装置と前記第２の端末装置との間の通信路を、前記バックアップ装置を介した通信路へ切替えることを指示し、前記バックアップ装置は、前記第１の端末装置と前記第２の端末装置との間の通信路を確立するものであるネットワーク接続通信システムである。
【００２２】
この構成により、通信路の障害時に通信路の迂回または二重化をスムーズに行うことができる。
【００２３】
本発明のネットワーク接続制御方法は、一端に第１のネットワークを介して第１の端末装置に、他端に第２のネットワークを介して第２の端末装置に接続されたネットワーク接続制御装置におけるネットワーク接続制御方法であって、前記第２の端末から前記ネットワーク接続制御装置に対してリンク確認信号を送出するステップと、前記第１のネットワークにおける通信路のリンク断が検出された場合に、前記ネットワーク接続制御装置が前記リンク確認応答信号を非通知にするステップとを有するネットワーク接続制御方法である。
【００２４】
この方法により、一方のネットワークの障害を他方のネットワークに接続された装置へ通知するための通知信号が用いることができない状況においても、確実に他方のネットワークへ障害を通知可能にすることができる。
【００２５】
また、本発明のネットワーク接続制御方法は、一端に第１のネットワークを介して第１の端末装置に、他端に第２のネットワークを介して第２の端末装置に接続され、前記第１のネットワークを介して迂回通信路を確保するためのバックアップ装置と冗長プロトコルを用いて通信可能なネットワーク接続制御装置におけるネットワーク接続制御方法であって、前記第２の端末装置へリンク確認信号を送出するステップと、前記リンク確認信号に対する前記第２の端末装置からのリンク確認応答信号の有無を検出することで、前記第２の端末装置と前記ネットワーク接続制御装置との間のリンクを監視するステップと、前記第１の端末装置と前記ネットワーク接続制御装置との間のリンクに障害が検知された場合に、前記ネットワーク接続制御装置が前記バックアップ装置に対して冗長プロトコルを用いて、前記バックアップ装置を介した通信回路の迂回を指示するステップとを備えるネットワーク接続制御方法である。
【００２６】
この方法により、通信路の障害時に通信路の迂回または二重化をスムーズに行うことができる。
【００２７】
また、本発明のネットワーク接続制御方法において、前記第１の端末装置からのリンク障害信号を受けた場合に、前記ネットワーク接続制御装置が前記バックアップ装置に対して冗長プロトコルを用いて通信回路の迂回を指示するステップを更に備える。
【００２８】
また、本発明のネットワーク接続制御方法において、前記リンク確認信号およびリンク確認応答信号は、ループバックＯＡＭセルを用いる。
【００２９】
また、本発明のネットワーク接続制御方法において、前記リンク確認信号及びリンク確認応答信号は、ＩＣＭＰのエコー機能を用いる。
【００３０】
【発明の実施の形態】
（第１の実施形態）
図１は、本発明の第１の実施形態を説明するためのネットワーク接続制御装置を有するネットワーク接続通信システムを示す概略構成を示す図である。図１に示すように、第１の実施形態のネットワーク接続通信システムは、ルータなどの端末装置１０１、端末装置１０１と接続されたネットワーク接続制御装置１０２、非同期転送モード（Ａｓｙｎｃｈｒｏｎｏｕｓ  Ｔｒａｎｓｆｅｒ  Ｍｏｄｅ、以下ＡＴＭ）網１０３、およびＡＴＭ網１０３を介してネットワーク接続制御装置１０２と接続された対向装置１０４を備える。
【００３１】
ここで、対向装置は、パソコンや、携帯電話、ＰＤＡ等の通信機能を備えた電子機器である。また、ＡＴＭ網１０４は、５３バイトの固定長データ列（ＡＴＭセル）を単位とした情報を伝送するネットワークである。第１の実施の形態では、ネットワーク接続制御装置１０２と対向装置１０４との間の通信網として、広域通信網（Ｗｉｄｅ  Ａｒｅａ  Ｎｅｔｗｏｒｋ、以下ＷＡＮ）の一つであるＡＴＭ網を例にとって説明したが、本発明はこれに限られず、ＡＴＭ網とは別のＷＡＮまたは狭域通信網（Ｌｏｃａｌ  Ａｒｅａ  Ｎｅｔｗｏｒｋ、以下ＬＡＮ）等の通信網でも構わない。
【００３２】
また、第１の実施形態では、端末装置１０１とネットワーク接続制御装置１０２がＬＡＮの一つである、イーサネット（登録商標、以下同様）で接続されている場合を例にとって説明する。但し、端末装置１０１とネットワーク接続制御装置１０２は、イーサネットとは別のＬＡＮや、ＷＡＮ等を介して接続されてもよい。
【００３３】
ネットワーク接続制御装置１０２は、イーサインタフェース部１１１、イーサリンク監視制御部１１２、ＳＡＲ（Ｓｅｇｍｅｎｔａｔｉｏｎ  Ａｎｄ  Ｒｅａｓｓｅｍｂｌｙ）部１１３、中央処理部１１４、ＡＴＭリンク監視制御部１１５、およびＡＴＭインタフェース部１１６を備える。
【００３４】
イーサリンク監視制御部１１２は、イーサインタフェース部１１１に接続され、端末装置１０１とネットワーク接続制御装置１０２との間のリンク状態を監視し、イーサリンク状態を中央処理部１１４に伝えるものである。ＳＡＲ部１１３は、ＡＴＭ網とイーサネットとの間におけるデータ構成を、ＡＴＭセルからフレームへ、または、フレームからＡＴＭセルへと変更するものである。ＡＴＭ監視制御部１１５は、ＡＴＭインタフェース部１１６を介して、ＡＴＭ網１０３の状態を監視し、ＡＴＭ網への接続状態を中央制御部へ伝えるものである。中央制御部１５は、イーサリンク監視制御部１１２、ＳＡＲ部１１３、およびＡＴＭリンク監視制御部１１７をそれぞれ制御する。
【００３５】
ネットワーク接続制御装置１０２と対抗装置１０４は、ＡＴＭ網１０３内における通信路であるＰＶＣ（Ｐｅｒｍａｎｅｎｔ  Ｖｉｒｔｕａｌ  Ｃｈａｎｎｅｌ）を介して接続される。このＰＶＣのリンク状態を監視するための方法の一つとして、ループバックＯＡＭ（Ｏｐｅｒａｔｉｏｎ  Ａｄｍｉｎｉｓｔｒａｔｉｏｎ  ａｎｄ  Ｍａｉｎｔｅｎａｎｃｅ）セルによるテストがある。
【００３６】
ループバックＯＡＭセルとは、対向装置１０４が、ネットワーク接続制御装置１０２に対してＯＡＭループバックセルによるループバック表示を行い、それに対して、ネットワーク接続制御装置１０２が対向装置１０４にループバック応答を行うことで、ＰＶＣのリンク確立の状態を監視するものである。対向装置１０４は、ネットワーク接続制御装置１０３からのループバック応答が得られればＰＶＣのリンク状態が正常であり、得られなければＰＶＣに障害が生じていると判断することが可能となる。即ち、ＰＶＣのリンク状態は、ループバック応答の有無により検出される。
【００３７】
尚、ネットワーク接続制御装置１０２がループバック表示を行い、対向装置１０４がループバック応答を行ってもよい。この場合、ネットワーク接続制御装置１０４がＰＶＣのリンク状態を検出することができる。
【００３８】
図２は、第１の実施形態のネットワーク接続制御方法を説明するシーケンスチャートである。
【００３９】
図２に示すように、端末装置１０１と対向装置１０４との間でネットワーク接続制御装置１０２を介する通信が確立している状態において、対向装置１０４は、ネットワーク接続制御装置１０２に対してループバック表示を行う（Ｓ２０１）。ネットワーク接続制御装置１０２は、ループバック表示を受けると、対向装置１０４に対してループバック応答を行う（Ｓ２０２）。
【００４０】
また、ネットワーク接続制御装置１０２のイーサリンク監視制御部１１２は、端末装置１０１とのリンク確立がなされているかを監視する（Ｓ２０３）。ここで、端末装置１０１とネットワーク接続制御装置１０２とのリンクが切断された場合、イーサリンク監視制御部１１２は、端末装置１０１とのリンク切断を検出する（Ｓ２０４）。
【００４１】
イーサリンク監視制御部１１２は、リンク切断が検出されたことを中央処理部１１４へ通知し、中央処理部１１４は、対向装置１０４からのループバック表示に対して、ループバック応答を行わないようにネットワーク接続制御装置１０２を制御する（Ｓ２０５）。即ち、ＡＴＭリンク監視制御部１１５は、対向装置１０４に対するループバック応答を非通知とする。対向装置１０４は、ネットワーク接続制御装置１０２からのループバック応答が得られないことにより、端末装置１０１と対向装置１０４との間の通信に障害が生じたことを検知する（Ｓ２０６）。対向装置１０４は、障害を検知して、ＰＶＣの迂回などの処理を行うことができる。
【００４２】
以上説明したように、第１の実施形態のネットワーク接続制御装置１０２を備えたネットワーク接続通信システムおよびネットワーク接続制御方法によれば、対向装置は、イーサネット側の障害に起因する端末装置と対向装置間の通信路の障害を、イーサネット側の障害を示す通知信号を用いることなく、検出することができる。従って、イーサネット側の障害を示す通知信号に対応していない対向装置や、ＡＴＭ網が用いられた場合においても、対向装置はイーサネット側の障害を検出することができる。
【００４３】
なお、第１の実施形態では、対向装置１０４がＡＴＭ網１０３のＰＶＣリンクを診断するためにループバックＯＡＭセルによるテストを行っているが、ＩＣＭＰ（Ｉｎｔｅｒｎｅｔ  Ｃｏｎｔｒｏｌ  Ｍｅｓｓａｇｅ  Ｐｒｏｔｏｃｏｌ）エコー（ｐｉｎｇ（ピング））によって、ＰＶＣリンクを診断してもよい。この場合、対向装置１０４は、ｐｉｎｇによってＡＴＭ側のＰＶＣリンクを診断し、エコー応答（Ｅｃｈｏ  Ｒｅｐｌｙ）が得られない場合に、ＰＶＣリンク断を検知する。ｐｉｎｇを利用することにより、ＡＴＭ網１０３に限らず、ＩＰ網であってもＰＶＣのリンク状態を判断することができる。例えば、ネットワーク接続制御装置１０２と対向装置１０４との間にＡＴＭ網とＩＰ網が混在していても利用可能である。
【００４４】
また、端末インタフェースとして、イーサインタフェースの代わりにＶ３５やＲＳ−２３２Ｃや、デジタル専用線用、フレームリレー用等のシリアスインタフェースを備えてもよい。
【００４５】
（第２の実施形態）
図３は、本発明の第２の実施形態を説明するためのネットワーク接続制御装置を有するネットワーク接続通信システムを示す概略構成を示す図である。図３に示すように、第２の実施形態のネットワーク接続通信システムは、サーバやＰＣなどの通信端末３０１、イーサネット３０２を介して通信端末３０１と接続されたネットワーク接続制御装置３０３、ＡＴＭ網３０４、ＡＴＭ網３０４の主通信ＰＶＣ３５１を介してネットワーク接続制御装置３０３と接続された対向装置３０５、イーサネット３０２を介して通信端末３０１と接続されたバックアップ装置３０７、およびバックアップ装置３０７と対向装置３０６とを接続するための迂回用ＰＶＣ３５２を有する迂回用通信網３０７を備える。
【００４６】
ここで、第２の実施形態では、迂回用通信網として、ＩＳＤＮ（Ｉｎｔｅｇｒａｔｅｄ  Ｓｅｒｖｉｃｅｓ  Ｄｉｇｉｔａｌ  Ｎｅｔｗｏｒｋ）網３０７を例にとって説明する。この場合、バックアップ装置３０６は例えば、ＶＲＲＰ等の冗長プロトコルに対応するものであり、たとえばＩＳＤＮルータである。
【００４７】
ネットワーク接続制御装置３０３は、イーサインタフェース部３１１、イーサリンク監視制御部３１２、ＳＡＲ部３１３、中央処理部３１４、ＡＴＭリンク監視制御部３１５、ＡＴＭインタフェース部３１６、およびＶＲＲＰ制御部３１７を備える。
【００４８】
イーサリンク監視制御部３１２は、イーサインタフェース部３１１に接続され、端末装置３０１とネットワーク接続制御装置３０３との間のリンク状態を監視し、イーサリンク状態を中央処理部３１４に伝えるものである。ＳＡＲ部３１３は、ＡＴＭ網とイーサネットとの間におけるデータ構成を、ＡＴＭセルからフレームへ、または、フレームからＡＴＭセルへと変更するものである。ＡＴＭ監視制御部３１５は、ＡＴＭインタフェース部３１６を介して、ＡＴＭ網３０４の状態を監視し、ＡＴＭ網への接続状態を中央制御部へ伝えるものである。ＶＲＲＰ制御部３１６は、ＶＲＲＰを用いて、ネットワーク接続制御装置３０３とバックアップ装置３０６との間でイーサインタフェース部３１１を介して互いに監視し、どの装置をマスタとして端末装置３０１と対向装置３０５を接続するかを制御する。中央制御部３１４は、イーサリンク監視制御部３１２、ＳＡＲ部３１３、ＡＴＭリンク監視制御部３１５、およびＶＲＲＰ制御部３１６をそれぞれ制御する。
【００４９】
図４は、第２の実施形態のネットワーク接続制御方法を説明するためのシーケンスチャートである。
【００５０】
図４に示すように、ネットワーク接続制御装置３０３がマスタとして選択され、通信端末３０１と対向装置３０５との間の通信が主通信ＰＶＣ３５１を介して確立している状態において、ネットワーク接続制御装置３０３は、対向装置３０５に対してループバック表示を行う（Ｓ４０１）。対向装置３０５は、ループバック表示を受けると、ネットワーク接続制御装置３０３に対してループバック応答を行う（Ｓ４０２）。
【００５１】
また、ネットワーク接続制御装置３０３のＡＴＭリンク監視制御部３１５は、ループバック応答の有無を検出し、対向装置３０５とのリンク確立がなされているかを監視する。ここで、対向装置３０５とネットワーク接続制御装置３０３とのリンクに障害が起きた場合、すなわち、ネットワーク接続制御装置３０３にてループバック応答が検出されなかった場合、ＡＴＭリンク監視制御部３１５は、対向装置３０５とのリンク切断を検出する（Ｓ４０３）。
【００５２】
ＡＴＭリンク監視制御部３１５は、リンク切断が検出されたことを中央処理部３１４へ通知し、中央処理部３１４は、対向装置側のＰＶＣ障害のため、バックアップ装置３０５へ切替えて通信路を確保するようにＶＲＲＰ制御部３１７を制御する。ＶＲＲＰ制御部３１７は、バックアップ装置３０５に対してＶＲＲＰアドバタイズメントにより異常通知を行う（Ｓ４０４）。バックアップ装置３０５は、ネットワーク接続制御装置３０３に対して、ＶＲＲＰアドバタイズメントにより、バックアップする旨を通知する（Ｓ４０５）。
【００５３】
ネットワーク接続制御装置３０３は、バックアップ装置３０５に対してデータを送信し、バックアップ装置３０５がアクティブとなり、迂回用ＰＶＣ３５２を介して、通信端末３０１と対向装置３０５との間の通信を開始する（Ｓ４０６）。
【００５４】
以上説明したように、第２の実施形態のネットワーク接続制御装置３０３を備えたネットワーク接続通信システムおよびネットワーク接続制御方法によれば、ＡＴＭ網３０４側で障害が起きた場合に、ＶＲＲＰを用いてバックアップ装置に切替えることで、通信路の迂回および二重化をスムーズに行うことが可能となる。
【００５５】
なお、第２の実施形態では、ネットワーク接続制御装置３０３と対向装置３０５との間で、ＰＶＣリンクを診断するためにループバックＯＡＭセルによるテストを行っているが、ＩＣＭＰエコー（ｐｉｎｇ（ピング））によって、ＰＶＣリンクを診断してもよい。この場合、ネットワーク接続制御装置３０３は、ｐｉｎｇによってＡＴＭ側のＰＶＣリンクを診断し、エコー応答が得られない場合に、ＰＶＣリンク断を検知する。ｐｉｎｇを利用することにより、ＡＴＭ網３０４に限らず、ＩＰ網であってもＰＶＣのリンク状態を判断することができる。例えば、ネットワーク接続制御装置３０３と対向装置３０５との間にＡＴＭ網とＩＰ網が混在していても利用可能である。
【００５６】
また、ＡＴＭ側からの障害通知信号であるＡＩＳまたはＲＤＩを検出した場合に、ＶＲＲＰによってバックアップ装置へ切替えてもよい。
【００５７】
また、バックアップ装置３０６と対向装置３０５との間の迂回用通信網３０７の例として、ＩＳＤＮ網３０７を例にとって説明したが、これに限られるものではなく、たとえば、ＡＴＭ網などでもよい。
【００５８】
さらに、冗長プロトコルの一例として、ＶＲＲＰを用いて説明したが、これに限られるものではなく、例えばＨＳＲＰなど、他の冗長プロトコルを用いてもよい。
【００５９】
【発明の効果】
以上説明したように、本発明に係るネットワーク接続制御装置、ネットワーク接続通信システムおよびネットワーク接続制御方法によれば、一方のネットワークの障害を他方のネットワークに接続された装置へ通知するための通知信号が用いることができない状況においても、確実に他方のネットワークへ障害を通知することができる。
【００６０】
また、障害時に通信路の迂回または二重化をスムーズに行うことができる。
【図面の簡単な説明】
【図１】本発明の第１の実施形態を説明するためのネットワーク接続制御装置を有するネットワーク接続通信システムを示す概略構成を示す図
【図２】第１の実施形態のネットワーク接続制御方法を説明するためのシーケンスチャート
【図３】本発明の第２の実施形態を説明するためのネットワーク接続制御装置を有するネットワーク接続通信システムを示す概略構成を示す図
【図４】第２の実施形態のネットワーク接続制御方法を説明するためのシーケンスチャート
【符号の説明】
１０１、３０１  端末装置
１０２、３０３  ネットワーク接続制御装置
１０３、３０４  ＡＴＭ網
１０４、３０５  対向装置
１１１、３１１  イーサインタフェース部
１１２、３１２  イーサリンク監視制御部
１１３、３１３  ＳＡＲ部
１１４、３１４  中央処理部
１１５、３１５  ＡＴＭリンク監視制御部
１１６、３１６  ＡＴＭインタフェース部
３０２  イーサネット
３０６  バックアップ装置
３０７  ＩＳＤＮ網
３１７  ＶＲＲＰ制御部
３５１  主通信ＰＶＣ
３５２  迂回用ＰＶＣ
【図１】
2004357115.tif 000003
【図２】
2004357115.tif 000004
【図３】
2004357115.tif 000005
【図４】
2004357115.tif 000006